(57)【特許請求の範囲】
【請求項１】
端末装置の電気漏れ検出方法であって、
前記端末装置は完全に充電され且つアダプタに接続されたままである場合、前記端末装置の少なくとも１つのグループの電力消費装置は前記端末装置のバッテリーによって電力を供給し、もし前記端末装置は完全に充電され且つアダプタに接続されたままであるときに前記少なくとも１つのグループの電力消費装置が作動状態にないと、前記バッテリーの電力消費を検出するステップと、
前記バッテリーの電力消費情報に応じて、前記端末装置に電気漏れ現象が発生しているか否かを判断するステップと、
を備え、
前記バッテリーの電力消費を検出することは、前記バッテリーの電圧変化及び/又は前記バッテリーの消費電流を検出することであり、
前記バッテリーの電圧が連続的に低下する場合、又は前記バッテリーに継続的且つ安定した電流消費がある場合、前記端末装置に電気漏れ現象が発生していると判断するものであり、
前記端末装置が低電力消費状態にあるとき、前記少なくとも１つのグループの電力消費装置は作動状態にないものであり、
前記端末装置は、充電制御スイッチと充電制御回路をさらに備え、
前記充電制御回路は、前記バッテリーの充電状態を検出し、前記充電制御スイッチを制御することにより、前記アダプタ又は前記バッテリーによって前記少なくとも１つのグループの電力消費装置に電力を供給するために用いられるものであり、
前記端末装置は完全に充電され且つアダプタに接続されたままである場合、前記充電制御スイッチは、前記アダプタと前記少なくとも１つのグループの電力消費装置との間の充電経路をオフ状態に制御し、且つ前記バッテリーと前記少なくとも１つのグループの電力消費装置との間の充電経路をオン状態に制御する、
ことを特徴とする端末装置の電気漏れ検出方法。
【請求項２】
前記端末装置が低電力消費状態にあるとき、前記少なくとも１つのグループの電力消費装置は作動状態にない、
ことを特徴とする請求項１に記載の端末装置の電気漏れ検出方法。
【請求項３】
前記低電力消費状態は、スクリーンオフスタンバイ状態及びパワーオフ状態を含む、
ことを特徴とする請求項２に記載の端末装置の電気漏れ検出方法。
【請求項４】
前記バッテリーの電力消費情報を表示するように前記端末装置を制御し、前記端末装置に電気漏れ現象が発生していると判断された場合、前記端末装置を制御して電気漏れリマインダーメッセージを送信する、
ことを特徴とする請求項１に記載の端末装置の電気漏れ検出方法。
【請求項５】
端末装置であって、
バッテリーと、少なくとも１つのグループ電力消費装置と、検出回路と、プロセッサと、を備え、
前記端末装置は完全に充電され且つアダプタに接続されたままである場合、前記少なくとも１つのグループの電力消費装置は前記バッテリーによって電力を供給し、
前記検出回路は、前記少なくとも１つのグループの電力消費装置が作動状態にないと、前記バッテリーの電力消費を検出するために用いられ、
前記プロセッサは、前記検出回路に接続されており、前記バッテリーの電力消費情報に応じて、前記端末装置に電気漏れ現象が発生しているか否かを判断するために用いられるものであり、
前記バッテリーの電力消費を検出することは、前記バッテリーの電圧変化及び/又は前記バッテリーの消費電流を検出することであり、
前記バッテリーの電圧が連続的に低下する場合、又は前記バッテリーに継続的且つ安定した電流消費がある場合、前記端末装置に電気漏れ現象が発生していると判断するものであり、
前記端末装置が低電力消費状態にあるとき、前記少なくとも１つのグループの電力消費装置は作動状態にないものであり、
前記端末装置は、充電制御スイッチと充電制御回路をさらに備え、
前記充電制御回路は、前記バッテリーの充電状態を検出し、前記充電制御スイッチを制御することにより、前記アダプタ又は前記バッテリーによって前記少なくとも１つのグループの電力消費装置に電力を供給するために用いられるものであり、
前記端末装置は完全に充電され且つアダプタに接続されたままである場合、前記充電制御スイッチは、前記アダプタと前記少なくとも１つのグループの電力消費装置との間の充電経路をオフ状態に制御し、且つ前記バッテリーと前記少なくとも１つのグループの電力消費装置との間の充電経路をオン状態に制御する、
ことを特徴とする端末装置。
【請求項６】
前記検出回路は、電圧検出回路及び電流検出回路の中の少なくとも１つを備える、
ことを特徴とする請求項５に記載の端末装置。
【請求項７】
前記電圧検出回路は、第一レジスター及び第二レジスターを備え、
前記第一レジスターの一端は前記バッテリーの一端に接続され、
前記第二レジスターの一端は前記第一レジスターの他端に接続され且つ第一ノードを有し、前記第二レジスターの他端は接地され、前記第一ノードは前記電圧検出回路の出力端として機能する、
ことを特徴とする請求項６に記載の端末装置。
【請求項８】
前記電流検出回路は、第一レジスター、第二レジスター、第三レジスター、増幅器及び第四レジスターを備え、
前記第一レジスターの一端は前記バッテリーの一端に接続され、前記第一レジスターの他端は前記少なくとも１つのグループの電力消費装置を介して前記バッテリーの他端に接続され、
前記第二レジスターの一端は前記第一レジスターの一端に接続され、
前記第三レジスターの一端は前記第一レジスターの他端に接続され、
前記増幅器の負入力端は前記第二レジスターの他端に接続され、前記増幅器の正入力端は前記第三レジスターの他端に接続され、
前記第四レジスターは前記増幅器の負入力端と出力端との間に接続され、前記増幅器の出力端は前記電流検出回路の出力端として機能する、
ことを特徴とする請求項６に記載の端末装置。
【請求項９】
端末装置であって、バッテリーと、プロセッサと、メモリと、を備え、
前記メモリは、前記プロセッサに接続され且つ前記端末装置の制御プログラムを格納するために用いられ、
前記端末装置の制御プログラムが前記プロセッサによって実行されると、前記端末装置の電気漏れを検出し、
前記端末装置の電気漏れを検出することは、
前記端末装置は完全に充電され且つアダプタに接続されたままである場合、前記端末装置の少なくとも１つのグループの電力消費装置は前記端末装置のバッテリーによって電力を供給し、もし前記端末装置は完全に充電され且つアダプタに接続されたままであるときに前記少なくとも１つのグループの電力消費装置が作動状態にないと、前記バッテリーの電力消費を検出することと、
前記バッテリーの電力消費情報に応じて、前記端末装置に電気漏れ現象が発生しているか否かを判断することと、
を備え、
前記バッテリーの電力消費を検出することは、前記バッテリーの電圧変化及び/又は前記バッテリーの消費電流を検出することであり、
前記バッテリーの電圧が連続的に低下する場合、又は前記バッテリーに継続的且つ安定した電流消費がある場合、前記端末装置に電気漏れ現象が発生していると判断するものであり、
前記端末装置が低電力消費状態にあるとき、前記少なくとも１つのグループの電力消費装置は作動状態にないものであり、
前記端末装置は、充電制御スイッチと充電制御回路をさらに備え、
前記充電制御回路は、前記バッテリーの充電状態を検出し、前記充電制御スイッチを制御することにより、前記アダプタ又は前記バッテリーによって前記少なくとも１つのグループの電力消費装置に電力を供給するために用いられるものであり、
前記端末装置は完全に充電され且つアダプタに接続されたままである場合、前記充電制御スイッチは、前記アダプタと前記少なくとも１つのグループの電力消費装置との間の充電経路をオフ状態に制御し、且つ前記バッテリーと前記少なくとも１つのグループの電力消費装置との間の充電経路をオン状態に制御する、
ことを特徴とする端末装置。
【発明の詳細な説明】
【技術分野】
【０００１】
本発明は、端末装置の技術分野に関し、さらに具体的に、端末装置及びその電気漏れ検出方法に関する。
【背景技術】
【０００２】
現在、携帯電話、タブレットコンピューターなどは私たちの日常生活で欠かせない存在となり、私たちの生活に大きな利便性をもたらす。ただし、内部電子部品の寿命が限られているので、一定期間後、経年劣化により内部電子部品に電気漏れが発生して、従って携帯電話、タブレットコンピューターに電気漏れが発生する可能性がある。なお、外部環境要因又は人的要因により、内部電子部品に電気漏れが発生する可能性もある。例えば、携帯電話、タブレットコンピューターなどは、湿気の多い環境に長時間置かれたり、誤って落とされたりぶつけたりすると、携帯電話、タブレットコンピューターなどに同様に電気漏れが発生する可能性がある。電気漏れが発生した場合、ユーザーはほとんどそれを認識せず、携帯電話、タブレットコンピューターなどは完全に放電されて、人々の生活に深刻な影響を及ぼす。
【発明の概要】
【０００３】
本発明の第一態様は、端末装置の電気漏れ検出方法を提供する。この方法は以下のステップを備える。端末装置は完全に充電され且つアダプタに接続されたままである場合、端末装置の少なくとも１つのグループの電力消費装置は端末装置のバッテリーによって電力を供給し、もし端末装置は完全に充電され且つアダプタに接続されたままであるときに少なくとも１つのグループの電力消費装置が作動状態にないと、バッテリーの電力消費を検出する。バッテリーの電力消費情報に応じて、端末装置に電気漏れ現象が発生しているか否かを判断する。
【０００４】
本発明の第二態様は、端末装置を提供する。端末装置は、バッテリーと、少なくとも１つのグループ電力消費装置と、検出回路と、プロセッサと、を備える。端末装置は完全に充電され且つアダプタに接続されたままである場合、少なくとも１つのグループの電力消費装置はバッテリーによって電力を供給する。検出回路は、少なくとも１つのグループの電力消費装置が作動状態にないと、バッテリーの電力消費を検出するために用いられる。プロセッサは、検出回路に接続されており、バッテリーの電力消費情報に応じて、端末装置に電気漏れ現象が発生しているか否かを判断するために用いられる。
【０００５】
本発明の第三態様は、端末装置を提供する。端末装置は、バッテリーと、プロセッサと、メモリと、を備える。メモリは、プロセッサに接続され且つ端末装置の制御プログラムを格納するために用いられる。端末装置の制御プログラムがプロセッサによって実行されると、端末装置の電気漏れを検出する。端末装置の電気漏れを検出することは、端末装置は完全に充電され且つアダプタに接続されたままである場合、端末装置の少なくとも１つのグループの電力消費装置は端末装置のバッテリーによって電力を供給し、もし端末装置は完全に充電され且つアダプタに接続されたままであるときに少なくとも１つのグループの電力消費装置が作動状態にないと、バッテリーの電力消費を検出することと、バッテリーの電力消費情報に応じて、端末装置に電気漏れ現象が発生しているか否かを判断することと、を備える。
【図面の簡単な説明】
【０００６】
【図１】図１は、本発明の一実施例に係わる端末装置の構造を示す概略図である。
【図２】図２は、本発明の実施例に係わる端末装置の電気漏れ検出方法のフローチャートである。
【図３】図３は、本発明の一実施例に係わるバッテリーの電圧検出回路及び電流検出回路を示す概略図である。
【図４ａ】図４ａは、本発明の一実施例に係わる端末装置に電気漏れが発生していないことを示すリマインダーメッセージの概略図である。
【図４ｂ】図４ｂは、本発明の一実施例に係わる端末装置に電気漏れが発生していることを示すリマインダーメッセージの概略図である。
【図５】図５は、本発明の別の実施例に係わる端末装置の構造を示す概略図である。
【図６】図６は、本発明の実施例に係わる端末装置の電気漏れ検出装置のブロック図である。
【図７】図７は、本発明のさらに別の実施例に係わる端末装置の構造を示す概略図である。
【発明を実施するための形態】
【０００７】
以下、添付図面を参照しながら、本発明の実施例を詳細に説明する。同一又は類似の符号は、同一又は類似の部品、又は同一又は類似の機能を有する部品を示す。以下、添付図面を参照して説明される実施例は、例示的であり、本発明を解釈するために用いられ、本発明を制限するものであると理解されるべきではない。
【０００８】
以下、添付図面を参照して、本発明の実施形態に係わる端末装置の電気漏れ検出方法、非一時的なコンピューター可読記憶媒体、端末装置、端末装置の電気漏れ検出装置及びこの電気漏れ検出装置を有する端末装置を説明する。
【０００９】
本発明の実施例に用いられる「端末装置」は、有線回線によって接続される装置及び/又は無線インタフェースを介して通信信号を受信/送信する装置であることができるが、それに限定されるものではない。有線回線は、例えば、公衆交換電話網（ｐｕｂｌｉｃ ｓｗｉｔｃｈｅｄ ｔｅｌｅｐｈｏｎｅ ｎｅｔｗｏｒｋ, ＰＳＴＮ）、デジタル加入者線（ｄｉｇｉｔａｌ ｓｕｂｓｃｒｉｂｅｒ ｌｉｎｅ, ＤＳＬ）、デジタルケーブル、直接接続ケーブル、及び/又は他のデータ接続ライン又はネットワーク接続ラインであることができる。無線インターフェースは、例えば、セルラーネットワーク、無線ローカルエリアネットワーク（ｗｉｒｅｌｅｓｓ ｌｏｃａｌ ａｒｅａ ｎｅｔｗｏｒｋ，ＷＬＡＮ）、デジタルビデオ放送ハンドヘルド（ｄｉｇｉｔａｌ ｖｉｄｅｏ ｂｒｏａｄｃａｓｔｉｎｇ ｈａｎｄｈｅｌｄ，ＤＶＢ-Ｈ）ネットワークのようなデジタルテレビネットワーク、衛星ネットワーク、振幅変調周波数変調（ａｍｐｌｉｔｕｄｅ ｍｏｄｕｌａｔｉｏｎ-ｆｒｅｑｕｅｎｃｙ ｍｏｄｕｌａｔｉｏｎ, ＡＭ−ＦＭ）放送送信機、及び/又は他の通信端末と通信することであることができる。無線インタフェースを介して通信するように構成された端末は、「無線通信端末」、「無線端末」、及び/又は「移動端末」と呼ぶことができる。移動端末の例としては、衛星又はセルラー電話、パーソナル通信システム（ｐｅｒｓｏｎａｌ ｃｏｍｍｕｎｉｃａｔｉｏｎ ｓｙｓｔｅｍ，ＰＣＳ）端末（セルラー無線電話とデータ処理、ファックス及びデータ通信能力を組み合わせることができる）、パーソナルデジタルアシスタント（Ｐｅｒｓｏｎａ  Ｄｉｇｉｔａｌ Ａｓｓｉｓｔａｎｔ, ＰＤＡ）（無線電話（ｒａｄｉｏ ｔｅｌｅｐｈｏｎｅ）、ページャ（ｐａｇｅｒ）、インターネット/イントラネットアクセス（Ｉｎｔｅｒｎｅｔ/Ｉｎｔｒａｎｅｔ ａｃｃｅｓｓ）、ウェブブラウジング（ｗｅｂ ｂｒｏｗｓｉｎｇ）、ノートブック（ｎｏｔｅｂｏｏｋ）、カレンダー（ｃａｌｅｎｄａｒ）及び/又は全地球測位システム（ｇｌｏｂａｌ ｐｏｓｉｔｉｏｎｉｎｇ ｓｙｓｔｅｍ, ＧＰＳ）受信機を備えることができる）及び通常のラップトップ型及び/又はハンドヘルド受信機、又は無線電話機能を備えた他の電子デバイスを備えるが、それに限定されるものではない。
【００１０】
本発明の実施形態において、図１に示されたように、端末装置１００は、複数の電力消費装置１１０を備え、複数の電力消費装置１１０は第一グループと第二グループに分けられる。端末装置１００は完全に充電され且つアダプタ２００に接続されたままであると、アダプタ２００によって第一グループの電力消費装置１１１に電力を供給し、端末装置１００のバッテリー１２０によって第二グループの電力消費装置１１２に電力を供給する。第一グループの電力消費装置１１１又は第二グループの電力消費装置１１２は、それぞれ１つ又は複数の電力消費装置を備える備えることができる。
【００１１】
本発明の一実施形態によれば、第一グループの電力消費装置１１１は、端末装置１００のプロセッサ及び制御ＩＣを備え、第二グループの電力消費装置１１２は、端末装置１００の通信ネットワークコンポーネント及びディスプレイコンポーネントを備える。「第一グループ」と「第二グループ」という用語を使用して、一部のコンポーネントを他のコンポーネントと区別する。第一グループの電力消費装置と第二グループの電力消費装置は、端末装置が出荷する時に予め設定することができ、購入後にユーザーが設定することもできる。本発明の技術方案を実現するためのアプリケーションは、端末装置にビルドインすることができ、又は端末装置にダウンロードすることもできる。
【００１２】
つまり、端末装置１００が完全に充電された後、アダプタ２００は端末装置１００の充電を停止する。このとき、ユーザーがアダプタ２００を引き抜かないと、端末装置１００のマザーボードの電力消費装置は２つの電源回路を有し、一部分の電力消費装置はバッテリー１２０によって電力を供給し、例えば、２Ｇ/４Ｇ無線周波数電力増幅器（２Ｇ/４ＧＰＡとして簡略化する）などで構成される通信ネットワークコンポーネント及び液晶ディスプレイコンポーネントなどであり、残りの電力消費装置は直接にアダプタ２００によって電力を供給し、例えば、端末装置１００の中央処理装置（ＣＰＵ）、制御チップなどである。具体的には、異なる端末装置１００に応じて設定することができる。
【００１３】
具体的には、図１に示されたように、端末装置１００は、複数の電力消費装置１１０及びバッテリー１２０に加えて、充電インターフェース１３０、充電モジュール１４０及び充電制御スイッチ１５０をさらに備える。充電インターフェース１３０は、有線充電インターフェース又は無線充電インターフェースであることができる。充電インターフェース１３０が有線充電インターフェースである場合、充電インターフェース１３０はユニバーサルシリアルバス（ＵＳＢ）インターフェースであることができ、ＵＳＢインターフェースを介して端末装置１００をアダプタ２００に接続することができる。ＵＳＢインターフェースは通常のものであることができ、又はマイクロＵＳＢインターフェイスであることもできる。充電インターフェース１３０が無線充電インターフェースである場合、具体的に無線電力受信コイルであることができる。無線電力受信コイルは、アダプタ２００の無線電力送信コイルと協同して、電磁誘導により電力を受け取る。充電インターフェース１３０は受信アンテナであることもできる。受信アンテナは、アダプター２００の送信アンテナと協同して、無線電波を介して電力を受け取る。充電インターフェース１３０は、結合電極又は同じ振動周波数を有するコイルであることもでき、これらは実際の需要によって選択することができる。
【００１４】
端末装置１００は、接続管理回路をさらに備えてもよい。接続管理回路は、充電インターフェイスの接続を検出するために用いられ、例えば、端末装置が充電インターフェイスを介してアダプタに接続されているか否か、又はアダプタが充電インターフェイスから引き出されているか否かなどである。端末装置１００は、状態管理回路をさらに備えてもよい。状態管理回路は、第二グループの電力消費装置の状態を検出するために用いられ、例えば、少なくとも１つの電力消費装置が動作状態にあるか否かを検出するために用いられる。接続管理回路と状態管理回路は別々に提供することができ、又はそれらの一方又は両方をプロセッサに統合することができる。
【００１５】
充電モジュール１４０は、充電回路と充電制御回路を備えることができる。充電回路の一端は充電インターフェース１３０に接続され、充電回路の他端は充電制御スイッチ１５０を介して複数の電力消費装置１１０及びバッテリー１２０に接続される。充電制御回路は、充電インターフェース１３０、充電回路、充電制御スイッチ１５０、バッテリー１２０及び端末装置１００のプロセッサに接続される。充電制御回路は、バッテリー１２０の電圧を検出して、バッテリー１２０を充電する必要があるか否かを判断するために用いられる。バッテリー１２０を充電することを必要とする場合、端末装置１００が電源オン状態にあり、且つユーザーがアダプタ２００を充電インターフェース１３０に接続すると、充電制御回路は充電中断信号を生成して端末装置１００のプロセッサに送信する。端末装置１００のプロセッサは、充電中断信号を受信した後、充電手順を実行し、充電制御回路に充電制御信号を出力する。充電制御回路は、充電制御信号に応じて、充電回路及び充電制御スイッチ１５０を制御して、バッテリー１２０を充電し、複数の電力消費装置１１０に電力を供給するとともに、バッテリー１２０の充電状態をリアルタイムで検出する。バッテリー１２０が完全に充電されると、充電制御回路は充電制御スイッチ１５０を制御して、バッテリー１２０の充電を停止し、且つアダプタ２００が充電インターフェース１３０から引き出されているか否かを判断する。アダプタ２００が充電インターフェース１３０から引き出されている場合、充電制御回路は充電回路を制御して動作を停止し、充電制御スイッチ１５０を介してバッテリー１２０が複数の電力消費装置１１０に電力を供給するように制御する。そうではない場合、充電制御回路は、複数の電力消費装置１１０の中の第一グループの電力消費装置１１１に電力を供給し続けるように充電回路を制御する一方、バッテリー１２０によって第二グループの電力消費装置１１２に電力を供給するように制御する。
【００１６】
端末装置１００が電源オフ状態にある場合、ユーザーがアダプタ２００を充電インターフェース１３０に接続すると、充電制御回路はバッテリー１２０の電圧を検出して、バッテリー１２０を充電する必要があるか否かを判断する。バッテリー１２０を充電することを必要とする場合、充電制御回路は、充電回路が作動するように制御し、且つ充電制御スイッチ１５０を制御して、複数の電力消費装置１１０の中の第一グループの電力消費装置１１１に電力を供給するとともに、リセット信号及び充電中断信号を生成して端末装置１００のプロセッサに送信し、後続の充電過程は、端末装置１００が電源オン状態にある場合と同じであるので、ここでは詳細に説明しない。従って、充電モジュール１４０によって、バッテリー１２０の充電及び複数の電力消費装置１００の電力供給を実現することができる。充電制御スイッチ１５０は、電子スイッチコンポーネントで構成されるスイッチ回路である。例えば、充電制御スイッチ１５０は、金属酸化物半導体（ＭＯＳ）トランジスタであることができる。ＭＯＳトランジスタの第一端は、充電回路のアノード及び第一グループの電力消費装置１１１のアノードに接続され、ＭＯＳトランジスタの第二端は、バッテリー１２０のアノード及び第二グループの電力消費装置１１２のアノードに接続され、ＭＯＳトランジスタの制御端は、充電制御回路に接続される。充電制御回路は、アダプタ２００が充電インターフェース１３０に接続され、且つバッテリー１２０を充電する必要があることを検出すると、ＭＯＳトランジスタをオン状態に制御する。この場合、充電回路によって、バッテリー１２０を充電し、第一グループの電力消費装置１１１及び第二グループの電力消費装置１１２に電力を供給する。充電制御回路は、アダプタ２００が充電インターフェース１３０に接続されるが、バッテリー１２０を充電する必要がないことを検出すると、充電制御回路はＭＯＳトランジスタをオフ状態に制御する。この場合、依然として充電回路によって第一グループの電力消費装置１１１に電力を供給するが、第二グループの電力消費装置１１２はバッテリー１２０によって電力を供給する。充電制御回路は、アダプタ２００が充電インターフェース１３０に接続されていることを検出しなかった場合、ＭＯＳトランジスタをオン状態に制御する。この場合、バッテリー１２０によって、第一グループの電力消費装置１１１及び第二グループの電力消費装置１１２に電力を供給する。  
【００１７】
即ち、端末装置１００の充電過程において、アダプタ２００によって、第一グループの電力消費装置１１１及び第二グループの電力消費装置１１２に電力を供給する。端末装置１００が完全に充電され且つアダプタ２００に接続されたままであると、アダプタ２００によって第一グループの電力消費装置１１１に電力を供給し、バッテリー１２０によって第二グループの電力消費装置１１２に電力を供給する。端末装置１００がアダプタ２００から切断されると、バッテリー１２０によって、第一グループの電力消費装置１１１及び第二グループの電力消費装置１１２に電力を供給する。端末装置１００が完全に充電され且つアダプタ２００に接続されたままであると、バッテリー１２０によって第二グループの電力消費装置１１２に電力を供給するが、第一グループの電力消費装置１１１はアダプタ２００によって電力を供給するので、このとき、第二グループの電力消費装置１１２が作動状態にないと、バッテリー１２０の電力消費情報に応じて、第二グループの電力消費装置１１２に電気漏れ現象が発生しているか否かを判断することができ、さらに第二グループの電力消費装置１１２に電気漏れ現象が発生しているので、端末装置１００に電気漏れ現象が発生していると判断することができる。電力消費装置は２つのグループに分けられるので、端末装置が完全に充電され且つアダプタに接続されたままであると、１つのグループはアダプタによって電力を供給し、もう１つのグループはバッテリーによって電力を供給する。このようにして、第二グループの電力消費装置１１２によって引き起こされる端末装置の深刻な電気漏れを検出することができるだけではなく、端末装置のわずかな電気漏れも検出することができ、従って検出の信頼性が確保される。
【００１８】
図２は、本発明の実施例に係わる端末装置の電気漏れ検出方法のフローチャートである。図２に示されたように、端末装置の電気漏れ検出方法は、以下のステップを備える。
【００１９】
Ｓ１、端末装置は完全に充電され且つアダプタに接続されたままである場合、、第二グループの電力消費装置は端末装置のバッテリーによって電力を供給し、もし端末装置は完全に充電され且つアダプタに接続されたままであるときに、第二グループの電力消費装置が作動状態にないと、バッテリーの電力消費を検出し、例えば、バッテリーの電力消費情報を獲得する。
【００２０】
本発明のいくつかの実施形態において、バッテリーの電圧変化及び/又はバッテリーの消費電流を検出することにより、バッテリーの電力消費情報を獲得する。バッテリーの消費電流は、バッテリーが電力を消費するとき、バッテリーが配置される回路の電流を指す。
【００２１】
具体的には、電圧検出回路によってバッテリーの電圧を検出することができ、その後、バッテリーの電圧変化に応じてバッテリーの電力消費情報を獲得する。例えば、一定期間内にバッテリーの電圧が急速に低下する場合、バッテリーの電力消費が深刻であることを示し、バッテリーの電圧がゆっくり低下する場合、バッテリーの電力消費が遅いことを示し、バッテリーの電圧がほとんど変化しない場合、バッテリーの電力消費がほとんどないことを示す。バッテリーの電圧変化閾値も導入できる。一定期間内のバッテリーの電圧変化が電圧変化閾値よりも大きい場合、バッテリーの電力消費が深刻であることを示し、そうでなければ、状況はそれほど悪くない。
【００２２】
又は、電流検出回路によってバッテリーの消費電流を検出することができ、その後、バッテリーの消費電流に応じてバッテリーの電力消費情報を獲得する。例えば、バッテリーの消費電流が大きい場合、バッテリーの電力消費が深刻であることを示し、バッテリーの消費電流が小さい場合、バッテリーの電力消費が遅いことを示し、バッテリーの消費電流が小さい又はゼロである場合、バッテリーの電力消費がほとんどないことを示す。又は、電圧検出回路によってバッテリーの電圧を検出するするとともに、電流検出回路によってバッテリーの消費電流を検出することができ、その後、バッテリーの電圧変化及びバッテリーの消費電流に応じてバッテリーの電力消費情報を獲得し、従って得られる電力消費情報の精度を確保する。
【００２３】
電圧検出回路及び電流検出回路は、図３に示す回路構成を採用することができる。図３に示されたように、電圧検出回路３１１は、第一レジスターＲ１及び第二レジスターＲ２を備える。第一レジスターＲ１の一端は、バッテリー１２０のアノードに接続されている。第二レジスターＲ２の一端は、第一レジスターＲ１の他端に接続され且つ第一ノードを有し、第二レジスターＲ２の他端は接地される。第一ノードは、電圧検出回路３１１の出力端として機能する。
【００２４】
電流検出回路３１２は、第八レジスターＲ８と、第九レジスターＲ９と、第十レジスターＲ１０と、第一増幅器Ｘ１と、第十一レジスターＲ１１と、を備える。第八レジスターＲ８の一端はバッテリー１２０のカソードに接続され、第八レジスターＲ８の他端は第二グループの電力消費装置１１２を介してバッテリー１２０のアノードに接続される。第八レジスターＲ８は電流検出レジスターである。第九レジスターＲ９の一端は第八レジスターＲ８の一端に接続され、第十レジスターＲ１０の一端は第八レジスターＲ８の他端に接続される。第一増幅器Ｘ１は、第九レジスターＲ９の他端に接続された負入力端と、第十レジスターＲ１０の他端に接続された正入力端と、を有する。第十一レジスターＲ１１は、第一増幅器Ｘ１の負入力端と第一増幅器Ｘ１の出力端との間に接続され、第一増幅器Ｘ１の出力端は電流検出回路３１２の出力端として機能する。
【００２５】
図３に示されたように、制御モジュールは、電圧検出回路３１１を介して獲得した電圧がほぼ一定であり（検出誤差を考慮する）、電流検出回路３１２を介して獲得した電流がほぼゼロである場合（検出誤差を考慮する）、バッテリー１２０は電力を消費しないことを示す。ただし、制御モジュールは、電圧検出回路３１１を介して獲得した電圧が連続的に低下する場合、又は電流検出回路３１２を介して獲得した消費電流がゼロより大きい場合（検出誤差を考慮して、好ましくはゼロに近い値を採用する）、バッテリー１２０は電力を消費することを示す。
【００２６】
説明しなければならないことは、図３に示された回路構成は、ただ例示である。本発明の実施形態において、他の回路構成を採用することもでき、ここで詳しく説明しない。ただバッテリーの電圧変化に応じてバッテリーの電力消費情報を獲得する場合、図３の電流検出回路３１２を省略することができる。ただバッテリーの消費電流に応じてバッテリーの電力消費情報を獲得する場合、図３の電圧検出回路３１１を省略するこができる。つまり、１つのパラメータだけでバッテリーの電力消費を検出することができる。
【００２７】
Ｓ２、バッテリーの電力消費情報に応じて、端末装置に電気漏れ現象が発生しているか否かを判断する。
【００２８】
具体的には、端末装置は完全に充電され且つアダプタに接続されたままである場合、第二グループの電力消費装置が作動状態にないと、通常、バッテリーは電力を消費しない。ただし、バッテリーの電力消費が検出されると、端末装置に電気漏れ現象が発生していることを説明する。例えば、バッテリーの電圧変化及びバッテリーの消費電流に応じてバッテリーの電力消費情報を獲得する場合、バッテリーの電圧が連続的に低下することが検出されるか、バッテリーの消費電流が連続的にゼロより大きく且つ安定状態にある（つまり、バッテリーに継続的且つ安定した電流消費がある）ことが検出されると、バッテリーに接続されたコンポーネントに電気漏れがあると判断し、さらに端末装置に電気漏れがあると判断する。
【００２９】
本発明の実施形態に係る端末装置の電気漏れ検出方法によれば、端末装置は完全に充電され且つアダプタに接続されたままである場合、第二グループの電力消費装置が作動状態にないと、バッテリーの電力消費情報に応じて、端末装置に電気漏れ現象が発生しているか否かを判断することができ、それにより、ユーザーが端末装置の電気漏れを知覚できないという問題を効果的に解決する。
【００３０】
本発明の一実施形態によれば、端末装置が低電力消費状態にあるとき、第二グループの電力消費装置は作動状態にない。さらに、低電力消費状態は、スクリーンオフスタンバイ状態及びパワーオフ状態を含む。
【００３１】
「スクリーンオフスタンバイ状態」とは、端末装置のディスプレイコンポーネントが画面オフ状態にあり、通信ネットワークデバイスなどが非作動状態にあり、ただシステムコアデバイス（例えば、プロセッサ及び制御ＩＣ）が作動状態にあることを意味する。「パワーオフ状態」とは、端末装置のすべてのコンポーネントが非作動状態にあり、即ち端末装置が電力消費のない状態にあることを意味する。簡単に説明すると、端末装置がスクリーンオフスタンバイ状態にあるか、それともパワーオフ状態にあるかにかかわらず、端末装置は完全に充電され且つアダプタに接続されたままである場合、端末装置のバッテリーが無電力消費状態にあるようにする。従って、ディスプレイコンポーネント、通信ネットワークコンポーネントなどのようなバッテリ駆動コンポーネントの電力消費による電気漏れ検出の不正確さを効果的に回避することができる。
【００３２】
例えば、図１に示されたように、端末装置に電力がないか、又は低電力の場合、ユーザーは端末装置を充電することを選択する。端末装置１００が電源オン状態にあるとき、ユーザーがアダプタ２００を充電インターフェース１３０に接続すると、充電制御回路は充電中断信号を生成して端末装置１００のプロセッサに送信し、端末装置１００のプロセッサは充電中断信号を受信した後、充電手順を実行し、充電制御回路に充電制御信号を出力する。充電制御回路は、充電制御信号に応じて、充電回路及び充電制御スイッチ１５０（例えば、ＭＯＳトランジスタである）を制御し、バッテリー１２０を充電し、複数の電力消費装置１１０に電力を供給するとともに、バッテリー１２０の充電状態をリアルタイムで検出する。
【００３３】
バッテリー１２０が完全に充電され、且つアダプタ２００が充電インターフェース１３０に接続されると、充電制御回路は、充電回路及び充電制御スイッチ１５０を制御して、充電回路によって第一グループの電力消費装置１１１に電力を供給し続け、バッテリー１２０によって第二グループの電力消費装置１１２に電力を供給する。充電制御回路は、端末装置１００のプロセッサに電気漏れ検出信号を送信して、端末装置１００のプロセッサは、電気漏れ検出手順の実行を開始する。例えば、充電制御回路は、アダプタと第一グループの電力消費装置との間の充電経路、アダプタと第二グループの電力消費装置との間の充電経路、バッテリーと第一グループの電力消費装置との間の充電経路、及びバッテリーと第二グループの電力消費装置との間の充電経路をオン/オフするように、充電制御スイッチのオン/オフを制御することができる。
【００３４】
電気漏れ検出手順を実行しているところ、先ず、端末装置１００がスクリーンオフスタンバイ状態にあるか否か、即ち、第二グループの電力消費装置が非作動状態にあるか否かを検出し、第二グループの電力消費装置が非作動状態にあると、端末装置１００の電気漏れ検出が開始される。このとき、バッテリーの電圧変化及び/又はバッテリーの消費電流を獲得してから、バッテリーの電圧変化及び/又はバッテリーの消費電流に応じて、端末装置に電気漏れ現象が発生しているか否かを判断する。例えば、ある期間内に、バッテリーの電圧が連続的に低下することが検出されると、端末装置に電気漏れ現象が発生していることを示す。別の例では、バッテリーの消費電流が持続且つ安定であることが検出されると、端末装置に電気漏れ現象が発生していることを示す。さらに別の例として、バッテリーの電圧が連続的に低下することが検出されるか、又はバッテリーの消費電流が持続且つ安定であることが検出されると、端末装置に電気漏れ現象が発生していることを示す。
【００３５】
端末装置１００が電源オフ状態にあるとき、ユーザーがアダプター２００を充電インターフェース１３０に接続すると、充電制御回路はバッテリー１２０の電圧を検出し始め、バッテリー１２０を充電する必要があるか否かを判断する。バッテリー１２０を充電する必要がある場合、充電制御回路は、充電回路が作動するように制御し、且つ充電制御スイッチ１５０を制御して、複数の電力消費装置１１０の中の第一グループの電力消費装置１１１に電力を供給するとともに、リセット信号及び充電中断信号を生成して端末装置１００のプロセッサに送信し、端末装置１００のプロセッサはリセット信号を受信した後に起動され、充電中断信号に応じて充電手順を実行する。後の充電過程及び電気漏れ検出過程は、端末装置１００がスクリーンオフスタンバイ状態にある場合と同様であるので、ここで詳しく説明しない。
【００３６】
その結果、端末装置は完全に充電され且つアダプタに接続されたままである場合、第二グループの電力消費装置が作動状態にないと、バッテリーの電力消費情報に応じて、端末装置に電気漏れ現象が発生しているか否かを判断することができる。
【００３７】
さらに、本発明の１つの実施形態によれば、バッテリーの電力消費情報を表示するように端末装置を制御し、端末装置に電気漏れ現象が発生していると判断された場合、端末装置を制御して電気漏れリマインダーメッセージを送信する。
【００３８】
例えば、端末装置の電気漏れ検出が完了すると、ユーザーが端末装置の現在の状態を了解するように、電気漏れ検出に関する結果をユーザーに通知することができる。例えば、電気漏れ検出が完了した後、端末装置に電気漏れが発生していない場合、図４ａに示されたように、ディスプレイコンポーネントを介してバッテリーの電力消費を示す情報を表示することができ、端末装置に電気漏れ現象が発生していないので、端末装置を安心して使用できることをユーザーに通知することができる。端末装置に電気漏れが発生している場合、図４ｂに示されたように、ディスプレイコンポーネントを介してバッテリーの電力消費を示す情報を表示することができ、端末装置に電気漏れ現象が発生したので、即時に修理するようにユーザーにリマインドできる。同時に、さらに端末装置の指示ランプの点滅によってユーザーにリマインドでき、例えば、指示ランプを制御して赤色光を発出し且つ高い頻度で点滅するようにする。又は端末装置の音声機能を介してユーザーにリマインドできる。
【００３９】
一般的に、ユーザーは、上記のリマインダーメッセージを受信すると、すぐカスタマーサービスアウトレットに行って検査修理する。ただし、一部のユーザーは、上記のリマインダーメッセージを受信しても、問題の深刻さを認識できない場合がある。従って、リマインダーメッセージを無視し、端末装置を正常に使用し続ける可能性がある。この場合、ユーザーに何度も通知することができる。例えば、ユーザーに少なくと三回通知することができる。何度も通知したが、ユーザーは依然として問題を処理しない場合、端末装置の一部の機能を制限することができる。例えば、バッテリーの電圧変化に応じて、端末装置の電気漏れが深刻ではないと判断された場合、いくつかの危険なコンポーネント（コンデンサなど）を制限することができる。ただし、端末装置の電気漏れが深刻である場合、端末装置は直接電源がオフになり、起動できないように制御する。
【００４０】
上述したように、本発明の実施形態に係わる端末装置の電気漏れ検出方法によれば、端末装置は完全に充電され且つアダプタに接続されたままであると、端末装置の第一グループの電力消費装置はアダプタによって電力を供給するが、第二グループの電力消費装置は端末装置のバッテリーによって電力を供給し、この時、第二グループの電力消費装置が作動状態にないと、バッテリーの電力消費を検出して、バッテリーの電力消費情報に応じて、端末装置に電気漏れ現象が発生しているか否かを判断する。従って、バッテリーの電力消費情報に応じて、端末装置に電気漏れ現象が発生しているか否かを判断するこができ、ユーザーが端末装置の電気漏れを知覚できないという問題を効果的に解決する。また、タイムリーなリマインダーと修理を実現することもでき、電気漏れによる潜在的な安全上の危険及び短期間使用の問題を回避することができ、端末装置の使用性能が大幅に向上する。
【００４１】
さらに、本発明の実施形態は、コンピュータプログラムを記憶した非一時的なコンピュータ可読記憶媒体を提供し、プログラムがプロセッサによって実行されると、上記の端末装置の電気漏れ検出方法を実施する。
【００４２】
本発明の実施形態に係わる非一時的なコンピュータ可読記憶媒体によれば、非一時的なコンピュータ可読記憶媒体はコンピュータプログラムを記憶し、プログラムがプロセッサによって実行されると、上記の端末装置の電気漏れ検出方法を実施する。端末装置は完全に充電され且つアダプタに接続されたままであると、端末装置の第一グループの電力消費装置はアダプタによって電力を供給するが、第二グループの電力消費装置は端末装置のバッテリーによって電力を供給し、この時、第二グループの電力消費装置が作動状態にないと、バッテリーの電力消費を検出して、バッテリーの電力消費情報に応じて、端末装置に電気漏れ現象が発生しているか否かを判断する。従って、バッテリーの電力消費情報に応じて、端末装置に電気漏れ現象が発生しているか否かを判断するこができる。
【００４３】
本発明の実施形態は、さらに端末装置を提供する。図５に示されたように、端末装置１００は、複数の電力消費装置１１０を備え、複数の電力消費装置１１０は第一グループと第二グループに分けられる。端末装置１００は完全に充電され且つアダプタに接続されたままであると、アダプタによって第一グループの電力消費装置１１１に電力を供給し、端末装置１００のバッテリー１２０によって第二グループの電力消費装置１１２に電力を供給する。端末装置１００は、さらに、メモリ１６０及びプロセッサ１７０を備え、メモリ１６０に格納された端末装置１００の制御プログラムがプロセッサ１７０によって実行されると、上記の端末装置の電気漏れ検出方法のステップを実現する。
【００４４】
本発明の実施形態に係る端末装置によれば、上記の端末装置の電気漏れ検出方法を実行することにより、端末装置は完全に充電され且つアダプタに接続されたままであると、端末装置の第一グループの電力消費装置はアダプタによって電力を供給するが、第二グループの電力消費装置は端末装置のバッテリーによって電力を供給し、この時、第二グループの電力消費装置が作動状態にないと、バッテリーの電力消費を検出して、バッテリーの電力消費情報に応じて、端末装置に電気漏れ現象が発生しているか否かを判断する。従って、バッテリーの電力消費情報に応じて、端末装置に電気漏れ現象が発生しているか否かを判断するこができる。
【００４５】
図６は、本発明の実施形態に係わる端末装置の電気漏れ検出装置のブロック図である。
【００４６】
本発明の実施形態において、図１に示されたように、端末装置１００は複数の電力消費装置１１０を備え、複数の電力消費装置１１０は第一グループと第二グループに分けられる。端末装置１００は完全に充電され且つアダプタ２００に接続されたままであると、アダプタ２００によって第一グループの電力消費装置１１１に電力を供給し、端末装置１００のバッテリー１２０によって第二グループの電力消費装置１１２に電力を供給する。
【００４７】
本発明の一実施形態によれば、第一グループの電力消費装置１１１は、端末装置１００のプロセッサ及び制御ＩＣを備え、第二グループの電力消費装置１１２は、端末装置１００の通信ネットワークコンポーネント及びディスプレイコンポーネントを備える。
【００４８】
即ち、端末装置１００が完全に充電された後、アダプタ２００は端末装置１００の充電を停止する。このとき、ユーザーがアダプタ２００を引き抜かないと、端末装置１００のマザーボードの電力消費装置は２つの電源回路を有し、一部分の電力消費装置はバッテリー１２０によって電力を供給し、例えば、２Ｇ/４Ｇ無線周波数電力増幅器（２Ｇ/４ＧＰＡとして簡略化する）などで構成される通信ネットワークコンポーネント及び液晶ディスプレイコンポーネントなどであり、残りの電力消費装置は直接にアダプタ２００によって電力を供給し、例えば、端末装置１００の中央処理装置（ＣＰＵ）、制御チップなどである。具体的には、異なる端末装置１００に応じて設定することができる。
【００４９】
具体的には、図１に示されたように、端末装置１００は、複数の電力消費装置１１０及びバッテリー１２０に加えて、充電インターフェース１３０、充電モジュール１４０及び充電制御スイッチ１５０をさらに備える。充電インターフェース１３０は、有線充電インターフェース又は無線充電インターフェースであることができる。充電インターフェース１３０が有線充電インターフェースである場合、充電インターフェース１３０はユニバーサルシリアルバス（ＵＳＢ）インターフェースであることができ、ＵＳＢインターフェースを介して端末装置１００をアダプタ２００に接続することができる。ＵＳＢインターフェースは通常のものであることができ、又はマイクロＵＳＢインターフェイスであることもできる。充電インターフェース１３０が無線充電インターフェースである場合、具体的に無線電力受信コイルであることができる。無線電力受信コイルは、アダプタ２００の無線電力送信コイルと協同して、電磁誘導により電力を受け取る。充電インターフェース１３０は受信アンテナであることもできる。受信アンテナは、アダプター２００の送信アンテナと協同して、無線電波を介して電力を受け取る。充電インターフェース１３０は、結合電極又は同じ振動周波数を有するコイルであることもでき、これらは実際の需要によって選択することができる。
【００５０】
充電モジュール１４０は、充電回路と充電制御回路を備えることができる。充電回路の一端は充電インターフェース１３０に接続され、充電回路の他端は充電制御スイッチ１５０を介して複数の電力消費装置１１０及びバッテリー１２０に接続される。充電制御回路は、充電インターフェース１３０、充電回路、充電制御スイッチ１５０、バッテリー１２０及び端末装置１００のプロセッサに接続される。充電制御回路は、バッテリー１２０の電圧を検出して、バッテリー１２０を充電する必要があるか否かを判断するために用いられる。バッテリー１２０を充電することを必要とする場合、端末装置１００が電源オン状態にあり、且つユーザーがアダプタ２００を充電インターフェース１３０に接続すると、充電制御回路は充電中断信号を生成して端末装置のプロセッサに送信する。端末装置１００のプロセッサは、充電中断信号を受信した後、充電手順を実行し、充電制御回路に充電制御信号を出力する。充電制御回路は、充電制御信号に応じて、充電回路及び充電制御スイッチ１５０を制御して、バッテリー１２０を充電し、複数の電力消費装置１１０に電力を供給するとともに、バッテリー１２０の充電状態をリアルタイムで検出する。バッテリー１２０が完全に充電されると、充電制御回路は充電制御スイッチ１５０を制御して、バッテリー１２０の充電を停止し、且つアダプタ２００が充電インターフェース１３０から引き出されているか否かを判断する。アダプタ２００が充電インターフェース１３０から引き出されている場合、充電制御回路は、充電回路を制御して動作を停止し、且つ充電制御スイッチ１５０を制御して、バッテリー１２０が複数の電力消費装置１１０に電力を供給するようにする。そうではない場合、充電制御回路は、複数の電力消費装置１１０の中の第一グループの電力消費装置１１１に電力を供給し続けるように充電回路を制御する一方、バッテリー１２０によって第二グループの電力消費装置１１２に電力を供給するように制御する。
【００５１】
端末装置１００が電源オフ状態にある場合、ユーザーがアダプタ２００を充電インターフェース１３０に接続すると、充電制御回路はバッテリー１２０の電圧を検出して、バッテリー１２０を充電する必要があるか否かを判断する。バッテリー１２０を充電することを必要とする場合、充電制御回路は、充電回路が作動するように制御し、且つ充電制御スイッチ１５０を制御して、複数の電力消費装置１１０の中の第一グループの電力消費装置１１１に電力を供給するとともに、リセット信号及び充電中断信号を生成して端末装置１００のプロセッサに送信し、後続の充電過程は、端末装置１００が電源オン状態にある場合と同じであるので、ここでは詳細に説明しない。従って、充電モジュール１４０によって、バッテリー１２０の充電及び複数の電力消費装置１００の電力供給を実現することができる。
【００５２】
充電制御スイッチ１５０は、電子スイッチコンポーネントで構成されるスイッチ回路である。例えば、充電制御スイッチ１５０は、金属酸化物半導体（ＭＯＳ）トランジスタであることができる。ＭＯＳトランジスタの第一端は、充電回路のアノード及び第一グループの電力消費装置１１１のアノードに接続され、ＭＯＳトランジスタの第二端は、バッテリー１２０のアノード及び第二グループの電力消費装置１１２のアノードに接続され、ＭＯＳトランジスタの制御端は、充電制御回路に接続される。充電制御回路は、アダプタ２００が充電インターフェース１３０に接続され、且つバッテリー１２０を充電する必要があることを検出すると、ＭＯＳトランジスタをオン状態に制御する。この場合、充電回路によって、バッテリー１２０を充電し、第一グループの電力消費装置１１１及び第二グループの電力消費装置１１２に電力を供給する。充電制御回路は、アダプタ２００が充電インターフェース１３０に接続されるが、バッテリー１２０を充電する必要がないことを検出すると、充電制御回路はＭＯＳトランジスタをオフ状態に制御する。この場合、依然として充電回路によって第一グループの電力消費装置１１１に電力を供給するが、第二グループの電力消費装置１１２はバッテリー１２０によって電力を供給する。充電制御回路は、アダプタ２００が充電インターフェース１３０に接続されていることを検出しなかった場合、ＭＯＳトランジスタをオン状態に制御する。この場合、バッテリー１２０によって、第一グループの電力消費装置１１１及び第二グループの電力消費装置１１２に電力を供給する。
【００５３】
即ち、端末装置１００の充電過程において、アダプタ２００によって、第一グループの電力消費装置１１１及び第二グループの電力消費装置１１２に電力を供給する。端末装置１００が完全に充電され且つアダプタ２００に接続されたままであると、アダプタ２００によって第一グループの電力消費装置１１１に電力を供給し、バッテリー１２０によって第二グループの電力消費装置１１２に電力を供給する。端末装置１００がアダプタ２００から切断されると、バッテリー１２０によって、第一グループの電力消費装置１１１及び第二グループの電力消費装置１１２に電力を供給する。端末装置１００が完全に充電され且つアダプタ２００に接続されたままであると、バッテリー１２０によって第二グループの電力消費装置１１２に電力を供給するが、第一グループの電力消費装置１１１はアダプタ２００によって電力を供給するので、このとき、第二グループの電力消費装置１１２が作動状態にないと、バッテリー１２０の電力消費情報に応じて、第二グループの電力消費装置１１２に電気漏れ現象が発生しているか否かを判断することができ、さらに第二グループの電力消費装置１１２によって引き起こされた端末装置１００に電気漏れ現象が発生していると判断することができる。電力消費装置は２つのグループに分けられるので、端末装置が完全に充電され且つアダプタに接続されたままであると、１つのグループはアダプタによって電力を供給し、もう１つのグループはバッテリーによって電力を供給する。このようにして、第二グループの電力消費装置１１２によって引き起こされる端末装置の深刻な電気漏れを検出することができるだけではなく、端末装置のわずかな電気漏れも検出することができ、従って検出の信頼性が確保される。
【００５４】
図６に示されたように、端末装置の電気漏れ検出装置１８０は、獲得モジュール１８１と、制御モジュール１８２と、を備える。獲得モジュール１８１は、バッテリー１２０の電力消費情報を獲得するために用いられる。制御モジュール１８２は、端末装置１００が完全に充電され且つアダプタ２００に接続されたままである場合、第二グループの電力消費装置１１２が作動状態にないと、バッテリー１２０の電力消費情報に応じて、端末装置１００に電気漏れ現象が発生しているか否かを判断するために用いられる。上述のモジュールは、図１及び図５に示されるプロセッサなどのようなプロセッサに統合することができる。
【００５５】
本発明の一実施形態によれば、獲得モジュール１８１は、バッテリー１２０の電圧変化及び/又はバッテリー１２０の消費電流を検出することにより、バッテリー１２０の電力消費情報を獲得する。バッテリーの消費電流は、バッテリーが電力を消費するとき、バッテリーが配置される回路の電流を指す。
【００５６】
具体的には、獲得モジュール１８１は、電圧検出回路によってバッテリーの電圧を検出することができ、その後、バッテリーの電圧変化に応じてバッテリーの電力消費情報を獲得する。例えば、一定期間内にバッテリーの電圧が急速に低下する場合、バッテリーの電力消費が深刻であることを示し、バッテリーの電圧がゆっくり低下する場合、バッテリーの電力消費が遅いことを示し、バッテリーの電圧がほとんど変化しない場合、バッテリーの電力消費がほとんどないことを示す。又は、電流検出回路によってバッテリーの消費電流を検出することができ、その後、バッテリーの消費電流に応じてバッテリーの電力消費情報を獲得する。例えば、バッテリーの消費電流が大きい場合、バッテリーの電力消費が深刻であることを示し、バッテリーの消費電流が小さい場合、バッテリーの電力消費が遅いことを示し、バッテリーの消費電流が小さい又はゼロである場合、バッテリーの電力消費がほとんどないことを示す。又は、電圧検出回路によってバッテリーの電圧を検出するするとともに、電流検出回路によってバッテリーの消費電流を検出することができ、その後、バッテリーの電圧変化及びバッテリーの消費電流に応じてバッテリーの電力消費情報を獲得し、従って得られる電力消費情報の精度を確保する。電圧検出回路及び電流検出回路は、図３に示された回路構造を採用することができ、ここで具体的に説明しない。
【００５７】
端末装置１００は完全に充電され且つアダプタ２００に接続されたままである場合、第二グループの電力消費装置１１２が作動状態にないと、通常、バッテリー１２０は電力を消費しない。ただし、バッテリー１２０の電力消費が検出されると、端末装置１００に電気漏れ現象が発生していることを説明する。例えば、バッテリー１２０の電圧変化及びバッテリー１２０の消費電流に応じてバッテリー１２０の電力消費情報を獲得する場合、バッテリー１２０の電圧が連続的に低下することが検出されるか、バッテリー１２０の消費電流が連続的にゼロより大きく且つ安定状態にある（つまり、バッテリー１２０に継続的且つ安定した電流消費がある）ことが検出されると、バッテリー１２０に接続されたコンポーネントに電気漏れがあると判断し、さらに端末装置１００に電気漏れがあると判断する。
【００５８】
本発明の実施形態に係る端末装置の電気漏れ検出装置は、端末装置は完全に充電され且つアダプタに接続されたままである場合、第二グループの電力消費装置が作動状態にないと、バッテリーの電力消費情報に応じて、端末装置に電気漏れ現象が発生しているか否かを判断することができ、それにより、ユーザーが端末装置の電気漏れを知覚できないという問題を効果的に解決する。
【００５９】
本発明の一実施形態によれば、端末装置１００が低電力消費状態にあるとき、第二グループの電力消費装置１１２は作動状態にない。さらに、低電力消費状態は、スクリーンオフスタンバイ状態及びパワーオフ状態を含む。
【００６０】
「スクリーンオフスタンバイ状態」とは、端末装置１００のディスプレイコンポーネントが画面オフ状態にあり、通信ネットワークデバイスなどが非作動状態にあり、ただシステムコアデバイス（例えば、プロセッサ及び制御ＩＣ）が作動状態にあることを意味する。「パワーオフ状態」とは、端末装置のすべてのコンポーネントが非作動状態にあり、即ち端末装置が電力消費のない状態にあることを意味する。簡単に説明すると、端末装置がスクリーンオフスタンバイ状態にあるか、それともパワーオフ状態にあるかにかかわらず、端末装置は完全に充電され且つアダプタに接続されたままである場合、端末装置のバッテリーが無電力消費状態にあるようにする。従って、ディスプレイコンポーネント、通信ネットワークコンポーネントなどのようなバッテリ駆動コンポーネントの電力消費による電気漏れ検出の不正確さを効果的に回避することができる。
【００６１】
例えば、図１に示されたように、端末装置１００に電力がないか、又は低電力の場合、ユーザーは端末装置１００を充電することを選択する。端末装置１００が電源オン状態にあるとき、ユーザーがアダプタ２００を充電インターフェース１３０に接続すると、充電制御回路は充電中断信号を生成して端末装置１００のプロセッサに送信し、端末装置１００のプロセッサは充電中断信号を受信した後、充電手順を実行し、充電制御回路に充電制御信号を出力する。充電制御回路は、充電制御信号に応じて、充電回路及び充電制御スイッチ１５０（例えば、ＭＯＳトランジスタである）を制御し、バッテリー１２０を充電し、複数の電力消費装置１１０に電力を供給するとともに、バッテリー１２０の充電状態をリアルタイムで検出する。
【００６２】
バッテリー１２０が完全に充電され、且つアダプタ２００が充電インターフェース１３０に接続されると、充電制御回路は、充電回路及び充電制御スイッチ１５０を制御して、充電回路によって第一グループの電力消費装置１１１に電力を供給し続け、バッテリー１２０によって第二グループの電力消費装置１１２に電力を供給する。充電制御回路は制御モジュール１８２に電気漏れ検出信号を送信して、制御モジュール１８２は電気漏れ検出手順の実行を開始する。
【００６３】
電気漏れ検出手順を実行しているところ、制御モジュール１８２は、先ず端末装置１００がスクリーンオフスタンバイ状態にあるか否か、即ち、第二グループの電力消費装置１１２が非作動状態にあるか否かを検出し、第二グループの電力消費装置１１２が非作動状態にあると、端末装置１００の電気漏れ検出が開始される。このとき、獲得モジュール１８１は、バッテリー１２０の電圧変化及び/又はバッテリー１２０の消費電流を獲得してから、バッテリー１２０の電圧変化及び/又はバッテリー１２０の消費電流に応じて、端末装置１００に電気漏れ現象が発生しているか否かを判断する。例えば、ある期間内に、バッテリー１２０の電圧が連続的に低下することが検出されると、端末装置１００に電気漏れ現象が発生していることを示す。別の例では、バッテリー１２０の消費電流が持続且つ安定であることが検出されると、端末装置１００に電気漏れ現象が発生していることを示す。さらに別の例として、バッテリー１２０の電圧が連続的に低下することが検出されるか、又はバッテリー１２０の消費電流が持続且つ安定であることが検出されると、端末装置１００に電気漏れ現象が発生していることを示す。
【００６４】
端末装置１００が電源オフ状態にあるとき、ユーザーがアダプター２００を充電インターフェース１３０に接続すると、充電制御回路はバッテリー１２０の電圧を検出し始め、バッテリー１２０を充電する必要があるか否かを判断する。バッテリー１２０を充電する必要がある場合、充電制御回路は、充電回路が作動するように制御し、且つ充電制御スイッチ１５０を制御して、複数の電力消費装置１１０の中の第一グループの電力消費装置１１１に電力を供給するとともに、リセット信号及び充電中断信号を生成して端末装置１００のプロセッサに送信し、端末装置１００のプロセッサはリセット信号を受信した後に起動され、充電中断信号に応じて充電手順を実行する。後の充電過程及び電気漏れ検出過程は、端末装置１００がスクリーンオフスタンバイ状態にある場合と同様であるので、ここで詳しく説明しない。
【００６５】
その結果、端末装置は完全に充電され且つアダプタに接続されたままである場合、第二グループの電力消費装置が作動状態にないと、バッテリーの電力消費情報に応じて、端末装置に電気漏れ現象が発生しているか否かを判断することができる。
【００６６】
さらに、本発明の１つの実施形態によれば、制御モジュール１８２は、さらにバッテリー１２０の電力消費情報を表示するように端末装置１００を制御し、端末装置１００に電気漏れ現象が発生していると判断された場合、端末装置１００を制御して電気漏れリマインダーメッセージを送信する。
【００６７】
例えば、端末装置１００の電気漏れ検出が完了すると、ユーザーが端末装置１００の現在の状態を了解するように、制御モジュール１８２は電気漏れ検出に関する結果をユーザーに通知することができる。例えば、電気漏れ検出が完了した後、端末装置１００に電気漏れが発生していない場合、図４ａに示されたように、制御モジュール１８２は、ディスプレイコンポーネントを介してバッテリー１２０の電力消費を示す情報を表示することができ、端末装置１００に電気漏れ現象が発生していなく、端末装置１００を自由に使用できることをユーザーに通知することができる。端末装置１００に電気漏れが発生している場合、図４ｂに示されたように、制御モジュール１８２は、ディスプレイコンポーネントを介してバッテリー１２０の電力消費を示す情報を表示することができ、端末装置１００に電気漏れ現象が発生したので、即時に修理するようにユーザーにリマインドできる。同時に、さらに端末装置１００の指示ランプの点滅によってユーザーにリマインドでき、例えば、指示ランプを制御して赤色光を発出し且つ高い頻度で点滅するようにする。又は端末装置１００の音声機能を介してユーザーにリマインドできる。
【００６８】
一般的に、ユーザーは、上記のリマインダーメッセージを受信すると、すぐカスタマーサービスアウトレットに行って検査修理する。ただし、一部のユーザーは、上記のリマインダーメッセージを受信しても、問題の深刻さを認識できない場合がある。従って、リマインダーメッセージを無視し、端末装置を正常に使用し続ける可能性がある。この場合、ユーザーに何度も通知することができる。例えば、ユーザーに少なくと三回通知することができる。何度も通知したが、ユーザーは依然として問題を処理しない場合、端末装置１００の一部の機能を制限することができる。例えば、バッテリー１２０の電圧変化に応じて、端末装置１００の電気漏れが深刻ではないと判断された場合、いくつかの危険なコンポーネント（コンデンサなど）を制限することができる。ただし、端末装置１００の電気漏れが深刻である場合、端末装置１００は直接電源がオフになり、起動できないように制御する。
【００６９】
本発明の実施形態に係わる端末装置の電気漏れ検出装置によれば、端末装置は完全に充電され且つアダプタに接続されたままであると、端末装置の第一グループの電力消費装置はアダプタによって電力を供給するが、第二グループの電力消費装置は端末装置のバッテリーによって電力を供給し、この時、第二グループの電力消費装置が作動状態にないと、制御モジュールは、獲得モジュールが獲得したバッテリーの電力消費情報に応じて、端末装置に電気漏れ現象が発生しているか否かを判断する。従って、バッテリーの電力消費情報に応じて、端末装置に電気漏れ現象が発生しているか否かを判断するこができ、ユーザーが端末装置の電気漏れを知覚できないという問題を効果的に解決する。また、タイムリーなリマインダーと修理を実現することもでき、電気漏れによる潜在的な安全上の危険及び短期間使用の問題を回避することができ、端末装置の使用性能が大幅に向上する。
【００７０】
本発明の実施形態は、さらに端末装置を提供する。図７に示されたように、端末装置１００は、上述した電気漏れ検出装置１８０を備える。
【００７１】
本発明の実施形態に係る端末装置によれば、上述した端末装置の電気漏れ検出装置によって、端末装置は完全に充電され且つアダプタに接続されたままであると、端末装置の第一グループの電力消費装置はアダプタによって電力を供給するが、第二グループの電力消費装置は端末装置のバッテリーによって電力を供給し、この時、第二グループの電力消費装置が作動状態にないと、バッテリーの電力消費を検出して、バッテリーの電力消費情報に応じて、端末装置に電気漏れ現象が発生しているか否かを判断する。従って、バッテリーの電力消費情報に応じて、端末装置に電気漏れ現象が発生しているか否かを判断するこができる。
【００７２】
本発明の説明において、「中央」、「縦方向」、「横方向」、「長さ」、「幅」、「厚さ」、「上」、「下」、「前」、「後」、「左」、「右」、「縦」、「水平」、「頂」、「底」、「内」、「外」、「時計回り」、「反時計回り」、「軸方向」、「半径方向」、「円周方向」などの用語が示す方向関係又は位置関係は、添付図面に基づく方向関係又は位置関係であり、本発明を便利に説明し、簡略化するためのものであり、装置又は構成要素が必ず特定の方向を持っているか、特定の方向に構成され且つ操作されることを明示又は暗示するものではなく、従って本発明を限定するものであると解釈するべきではない。
【００７３】
さらに、「第一」、「第二」などの用語は、ただ説明するために用いられ、相対的な重要性を明示又は暗示するか、又はここで言及される技術的特徴の数を暗示するものであると理解するべきではない。従って、「第一」、「第二」などの用語によって制限される特徴は、少なくとも1つの該特徴を含むことを明示又は暗示する。本発明の説明において、特に明記しない限り、「複数」は、２つ、３つなどの「少なくとも２つ」を指す。
【００７４】
本発明において、明確な規定及び限定がない限り、「設置する」、「結合する」、「接続する」、「固定する」などの用語は、より広い意味で理解されるべきである。例えば、明確な規定がない限り、固定接続されてもよく、着脱可能に接続されてもよく、又は一体になってもよく、機械的に接続されてもよく、電気的に接続されてもよく、直接に接続されてもよく、媒体を介した間接的に接続されてもよく、２つの構成素子間の連通であることができ、又は２つの構成要素間の相互作用関係であることもできる。当業者にとって、特定の状況に応じて、本発明における上記の用語の具体的な意味を理解され得る。
【００７５】
本発明において、明確な規定及び限定がない限り、第一特徴は第二特徴の「上」又は「下」にあるということは、第一特徴と第二特徴は直接に接触するか、又は第一特徴と第二特徴は媒体を介して間接的に接触することを意味する。第一特徴は第二特徴の「上」、「上方」、「上面」にあることは、第一特徴は第二特徴の真上又は斜め上にあるか、又はただ第一特徴の水平高さが第二特徴の水平高さより高いことを意味する。第一特徴は第二特徴の「下」、「下方」、「下面」にあることは、第一特徴は第二特徴の真下又は斜め下にあるか、又はただ第一特徴の水平高さが第二特徴の水平高さより低いことを意味する。
【００７６】
本明細書で言及される参照用語「１つの実施形態」、「いくつかの実施形態」、「例示」、「具体的な例示」、又は「いくつかの例示」などは、該実施形態又は例示を結合して説明する具体的な特徴、構造、材料、又は特性が本発明の少なくとも１つの実施形態又は例示に含まれることを意味する。本明細書において、上述した用語の例示的な記載は、必ず同じ実施形態又はは例示を指すことに限定されない。記載された特定の特徴、構造、材料、又は特性は、任意の１つ又は複数の実施形態又は例示で適切に組み合わせることができる。さらに、矛盾がない限り、当業者は本明細書に記載された異なる実施形態又は例示、及び異なる実施形態又は例示の特徴を組み合わせることができる。
【００７７】
本願に開示された実施形態に基づいて記載される各例示のユニット及びアルゴリズムステップは、電子ハードウェア、又はコンピュータープログラムと電子ハードウェアとの組み合わせにより実現され得ることは、当業者とって明らかである。これらの機能は、ハードウェアにより実行されるか又はソフトウェアにより実行されるかについて、技術方案の特定の応用場合や設計の制限条件などによって決められる。専門技術者は、特定応用ごとに異なる方法を使用して記載される機能を実現できるが、これらの実現は、本発明の範囲を超えると見なされるべきではない。
【００７８】
また、当業者であれば理解できるように、説明の便利および簡潔のために、上記システム、装置、及びユニットの詳細な動作プロセスについては、上記方法実施形態の対応するプロセスを参照することができるため、再度説明しない。
【００７９】
本願によって提供される幾つかの実施形態において、開示されるシステム、装置及び方法は、他の形態により実現され得ると理解されるべきである。例えば、上記に説明された装置の実施形態は、例示するためのものに過ぎない。例えば、ユニットの分割は、ロジック機能の分割に過ぎず、実際に実現するときに別の分割形態を有してもよい。例えば、複数のユニット又は部品を組み合わせ、又は別のシステムに集積し、又は若干の特徴を無視し、又は実行しなくてもよい。さらに、図示又は検討する相互間の結合や直接結合や通信接続は、いくつかのインタフェース、装置、又はユニットの間接結合や通信接続であってもよく、電気、機械や他の形態であってもよい。
【００８０】
分離部品として記載されたユニットは、物理的に分離してもよいし、分離しなくてもよい。ユニットとして表示される部品は、物理的なユニットであってもよいし、物理的なユニットではなくておもよい。即ち、一つの箇所に設置してもよいし、複数のネットワークユニットに設置してもよい。実際の要求に応じて一部又は全部のユニットを選択して本実施形態の技術方案の目的を実現することができる。
【００８１】
また、本発明に係る各実施形態の各機能ユニットは、１つの処理ユニットに集積されてもよいし、物理的に分離された複数のユニットとして存在してもよいし、２つ以上のユニットは１つのユニットに集積してもよい。
【００８２】
上記機能がソフトウェア機能ユニットで実現され、独立した製品として販売または使用される場合、このソフトウェアはコンピュータ可読記憶媒体に記憶されてもよい。このような理解に基づいて、本発明の技術手段の要旨、あるいは従来技術に寄与する部分、あるいは技術手段的一部は、ソフトウェア製品で実現されてもよい。このコンピュータソフトウェア製品は、記憶媒体に記憶され、本発明の様々な実施形態に係る方法のステップの全部または一部をコンピュータ(パーソナルコンピュータ、サーバ、またはネットワークデバイスなど)に実行させるための若干のインストラクションを含んでもよい。上記記憶媒体は、ＵＳＢメモリ、リムーバブルハードディスク、読み出し専用メモリ(ＲＯＭ、Ｒｅａｄ−Ｏｎｌｙ Ｍｅｍｏｒｙ)、ランダムアクセスメモリ(ＲＡＭ、Ｒａｎｄｏｍ Ａｃｃｅｓｓ Ｍｅｍｏｒｙ)、磁気ディスク、または光ディスクなどの、プログラムコードを記憶することができる任意の媒体を含んでもよい。以上、本発明の実施形態を説明したが、上述した実施形態は例示的であり、本発明を限定するものであると理解されるべきではなく、当業者であれば、本発明の範囲内で、上述した実施形態を変更、修正、置換及び変形することができる。
【図１】
0006977143.tif 000002
【図２】
0006977143.tif 000003
【図３】
0006977143.tif 000004
【図４ａ】
0006977143.tif 000005
【図４ｂ】
0006977143.tif 000006
【図５】
0006977143.tif 000007
【図６】
0006977143.tif 000008
【図７】
0006977143.tif 000009